(57)【要約】      （修正有）【課題】少なくとも一つの発光ダイオードを配置するため体積縮小と重量軽減という効果を有し、また、フレキシブル回路基板の発光ダイオードを柔和な光線にするため使用者が化粧をする時に良好な色彩を放つ発光鏡を提供する。【解決手段】本発光鏡には本体１０と少なくとも一つの鏡１２と少なくとも一つのフレキシブル回路基板とを備え、本体には少なくとも一つの透過部１６を設け、鏡は本体に配置し、フレキシブル回路基板には複数の発光ダイオード１７を設け、前記フレキシブル回路基板を本体と鏡間に配置することにより、発光ダイオードは透過部を通して光線を提供する。よって、発光ダイオードの発する光線は鏡の透過部を経由して現れ、鏡前の物体を照らし、しかも発光ダイオードは体積が小さいため本発光鏡は体積縮小と重量軽減という目的を達成する。【選択図】図１
0003163732.tif 000002
【実用新案登録請求の範囲】
【請求項１】
本体と、
本体に設ける少なくとも一つの鏡と、
少なくとも一つの発光ダイオードを備え、本体と鏡間に配置して発光ダイオードに光線を提供させる少なくとも一つのフレキシブル回路基板とにより構成されることを特徴とする発光鏡。
【請求項２】
前記鏡は光線を反射する材質のもので、光線反射材質は銀であることを特徴とする請求項１記載の発光鏡。
【請求項３】
前記鏡には光線を透過させるための少なくとも一つの透過部を備えることを特徴とする請求項１記載の発光鏡。
【請求項４】
前記鏡には更に電源スイッチを備え、電源スイッチは本体に配置し、発光ダイオードを通電させたりして遮断するためのフレキシブル回路基板に結合し、前記電源スイッチは多段階式のスイッチとすることを特徴とする請求項１記載の発光鏡。
【請求項５】
本体には電池を置くための電池ホルダーを備え、フレキシブル回路基板と電気的に接続させ、電気を発光ダイオードに供給して光線を提供することを特徴とする請求項１記載の発光鏡。
【請求項６】
前記本体には下外殻と、前記下外殻に対応させる上外殻と、前記上外殻と前記下外殻間に設けて前記上外殻と前記下外殻とを回転させるための回転軸構造とを備え、少なくとも一つの鏡は前記下外殻或いは／及び前記上外殻に配置することを特徴とする請求項１記載の発光鏡。
【請求項７】
前記回転軸構造には第一円形柱と第二円形柱と固定構造と電源スイッチとプッシュ部材と複数のゴムリングとを備え、
前記第一円形柱は、下外殻の底部の一方側に配置し、しかも第一円形柱には導電部を設け、前記導電部には電池を固定し、並びにフレキシブル回路基板と電気的に接続して電気を発光ダイオードに供給して光線を提供し、
前記第二円形柱は、前記下外殻の底部の他の一方側に配置し、第一円形柱との間には一定間隔をあけ、
前記固定構造は、前記上外殻の底部に配置し、第一円形柱と第二円形柱に組み合わせ、第一円形柱と第二円形柱との間に位置させ、
前記電源スイッチは、前記固定構造に配置し、しかもフレキシブル回路基板に結合して発光ダイオードを通電または遮断し、
前記プッシュ部材は前記第二円形柱に配置し、前記電源スイッチに接触し、
前記ゴムリングは、第一円形柱と第二円形柱の突出柱に配置することを特徴とする請求項６記載の発光鏡。
【請求項８】
前記固定構造は上固定蓋と下固定蓋とを備え、
前記上固定蓋は、上外殻の底部に配置し、第一円形柱と第二円形柱の上半分に組み合わせ、
前記下固定蓋は、上固定蓋に結合し、第一円形柱と第二円形柱の下半分に組み合わせることを特徴とする請求項７記載の発光鏡。
【請求項９】
前記上外殻には、少なくとも一つの凹溝と突出平台とを備え、
前記凹溝は上外殻に配置して少なくとも一つのフレキシブル回路基板を備え、
前記突出平台は、上外殻に配置して鏡を備えることを特徴とする請求項６記載の発光鏡。
【請求項１０】
前記本体には更に粘着層を備え、前記粘着層は本体と鏡との間に配置し、鏡を前記本体の上方に固定するのに用い、前記粘着層は両面テープ或いは強力接着剤とすることを特徴とする請求項１記載の発光鏡。
【考案の詳細な説明】
【技術分野】
【０００１】
本考案は鏡に関するもので、特に発光鏡に係る。
【背景技術】
【０００２】
鏡は光線を反射させて物体の映像を映し出す。しかし伝統的な鏡は光線が不足した場合、甚だしくは光線がない場所では鏡の中の虚像を見る事はできない。現在市場には特許文献１の「光源を伴う化粧鏡ボックス」の如き製品が出現し、それは化粧鏡ボックスの上下蓋に発光源を軸着し、発光源は内鏡照明を提供し、この他、発光源を上蓋内部に取り付けて、その上蓋の適当位置にはそれぞれ内開孔と外開孔とをあけ、並びに、レンズを対応する内開孔と外開孔の適当位置に取り付け、前記レンズは同時に光収集部と拡散部と反射区とを備え、前記拡散部は内開孔内に位置させ、光収集部は外開孔内に位置させる。反射区に進入し全反射した光線は、拡散部に反射されて外方向に拡散するため、光拡散作用と光収集作用を有する。しかし、前案に採用された発光源となる電球は体積が大きく、しかもその電球はプリント回路基板(Printed Circuit Board, PCB)上にハンダ付けしなければならず非常にスペースをとるため、公知の発光鏡の体積は大き、重量も重く、その光線色調が固定されて変化を演出したり比較的柔和な色調の光線を組み合わせられず、化粧をする者にとっては更に良好な更にカスタマイズ化したライトの色調を使用できない故に非理想的な設計である。
【０００３】
現在の技術は鏡の周囲に電球を加えて照明を提供してユーザーによる使用を便利にするものであるが、電球とプリント回路基板の体積が大きくスペースをとるため、鏡自体の体積と重量を増加させてしまう。また、現代社会の人々はナイトライフが益々盛んになり、外出や接待には必ず服装や身形に注意しなければならず、よって鏡使用率も大幅に向上している。そこで、いかに鏡を更に軽く薄くし、夜や照明が暗い場合での鏡使用を高めさせ、使用者に便利に使用させ、化粧者に良好な色を持つ化粧ライトを提供することができるかが現在の大きな課題として注目されている。
本考案は前述した問題点に対し、公知の欠点を改善できるだけでなく美観性に優れたライト色を提供して前記問題を解決する新規の発光鏡を提供する。
【先行技術文献】
【特許文献】
【０００４】
【特許文献１】台湾特許第０９４２１８０７０号明細書
【考案の概要】
【考案が解決しようとする課題】
【０００５】
本考案の目的は、フレキシブル回路基板に少なくとも一つの発光ダイオードを配置することにより体積縮小と重量軽減という目的を達成する発光鏡を提供することにある。
【０００６】
本考案のもう一つの目的は、フレキシブル回路基板の発光ダイオードを柔和な光線にすることにより使用者が化粧をする時に良好なライト色を与える発光鏡を提供することにある。
【課題を解決するための手段】
【０００７】
本考案の発光鏡には本体と少なくとも一つの鏡と少なくとも一つのフレキシブル回路基板を備え、本体中に鏡を設け、フレキシブル回路基板に少なくとも一つの発光ダイオードを設け、フレキシブル回路基板を本体に配置し、前記フレキシブル回路基板中の発光ダイオードは光線を発生させるためのもので、光線は鏡の少なくとも一つの透過部より照射されて鏡前の物体を照らして発光鏡の体積縮小と重量軽減という目的を達成する。
【０００８】
また、本考案の発光鏡は更にスイッチを含み、それは発光鏡の本体に配置され、フレキシブル回路基板に結合して発光ダイオードをオンまたはオフにする。
【考案の効果】
【０００９】
本考案の発光鏡は、フレキシブル回路基板に少なくとも一つの発光ダイオードを配置するため体積縮小と重量軽減という効果を有し、また、フレキシブル回路基板の発光ダイオードを柔和な光線にするため使用者が化粧をする時に良好な色彩を持つ化粧ライトを提供する効果を有する。
【図面の簡単な説明】
【００１０】
【図１】本考案の発光鏡に関する実施例の立体図である。
【図２】本考案の発光鏡の上外殻に関する実施例の分解図である。
【図３】本考案の発光鏡の上外殻に関する実施例の構造図である。
【図４】本考案の発光鏡の下外殻に関する実施例の分解図である。
【図５】本考案の発光鏡の下外殻に関する実施例の構造図である。
【図６】本考案の発光鏡に関する実施例の組立図である。
【図７】本考案の発光鏡に関する実施例の使用状態立体図（１）である。
【図８】本考案の発光鏡に関する実施例の使用状態立体図（２）である。
【図９】本考案の発光鏡に関する別の実施例の構造図である。
【考案を実施するための形態】
【００１１】
本考案の技術特徴とそれの達成する効果について更なるご理解を戴くために、次に実施例の図面を組み合わせた詳細説明を行う。
【００１２】
まず、図１に本考案の発光鏡に関する実施例の立体図を示す。図に示す通り、本考案の発光鏡には本体１０と少なくとも一つの鏡１２と少なくとも一つのフレキシブル回路基板（Flexible Print Circuit, FPC）１４（図２参照）と少なくとも一つの発光ダイオード１７を備える。鏡１２は本体１０に設け、フレキシブル回路基板１４には発光ダイオード１７を設け、フレキシブル回路基板１４を本体１０と鏡１２の間に配置し、発光ダイオード１７は光線を発生させるため、使用者は夜やライトが暗い時でも使用でき、しかもフレキシブル回路基板１４中に発光ダイオード１７を配置しているため、本考案の発光鏡は体積縮小と重量軽減という目的を達成する。前記発光ダイオード１７は表面実装技術（Surface Mounted Technology, SMT）方式でフレキシブル回路基板にハンダ付けする。
【００１３】
また、本考案の発光鏡の鏡１２は少なくとも一つの透過部１６を備えて発光ダイオード１７により発生する光線を通過させる。前記透過部１６の数量は発光ダイオード１７の数量に対応させて本考案の鏡１２に配置する。本実施例において透過部１６の数量と鏡１２に配置する位置は本考案の一実施例を示しただけであり、これに制限されるものではなく、透過部１６は本体１０に配置することも可能である（未図示）。
【００１４】
前述に続き、本考案の発光鏡の本体１０には更に上外殻１０１と下外殻１０３と回転軸構造１０５とを備え、前記上外殻１０１は下外殻１０３に対応し、回転軸構造１０５は上外殻１０１と下外殻１０３間に配置して上外殻１０１と下外殻１０３の連結に用い、並びに上外殻１０１と下外殻１０３を回転させられる。本考案の発光鏡に関する実施例の鏡１２は上外殻１０１或いは下外殻１０３、または上外殻１０１と下外殻１０３に配置するとし、どちらに配置するかには制限を設けない。本実施例では上外殻１０１と下外殻１０３の何れにも鏡１２を設けている。本考案の回転軸構造１０５には更に第一円形柱１０５１と第二円形柱１０５３と固定構造１０５７とを備え、前記固定構造１０５７は第一円形柱１０５１と第二円形柱１０５３間に配置する。
【００１５】
図２及び図３には本考案の発光鏡に関する実施例の分解図と構造図を示す。図に示す通り、本考案の上外殻１０１には更に少なくとも一つの凹溝１０１３と突出平台１０１５とを備え、前記凹溝１０１３は上外殻１０１に配置する。本実施例の凹溝１０１３は上外殻１０１の両側に設けてフレキシブル回路基板１４を配置するのに用い、前記フレキシブル回路基板１４には発光ダイオード１７を設け、フレキシブル回路基板１４に配置する発光ダイオード１７の位置は鏡１２の透過部１６に対応させる。上外殻１０１に配置する突出平台１０１５は、鏡１２をその上部に配置するためのものである。本考案は更に粘着層１０７を備え、鏡１２と本体１０の間に設ける粘着層１０７によって鏡１２を本体１０に固定する。本実施例では、粘着層１０７は鏡１２と本体１０の上外殻１０１の突出平台１０１５の間に配置して、鏡１２を本体１０の上外殻１０１の突出平台１０１５に固定するのに用いる。本考案の実施例での粘着層１０７は両面テープ或いは強力接着剤とする。本実施例において本考案の鏡１２は光線を反射する材質のもので、光線を反射する材質の一実施例は銀であり、透過部１６箇所には前記光線反射材質を塗布する等して配置しない。前記実施方法は本考案の一実施例に過ぎず、本考案の実施例は前記方法に制限されないものとする。
【００１６】
また、本考案の上外殻１０１は固定構造１０５７の一部を含み、その上固定蓋１０５８は上外殻１０１の底部に配置し、固定構造１０５７の下固定蓋１０５９に組み合わせて（図６参照）一体結合し、図１に示した第一円形柱１０５１と第二円形柱１０５３間に配置する。また、本考案の発光鏡には更に電源スイッチ１８を備え、電源スイッチ１８は本体１０に配置する。本実施例における電源スイッチ１８は固定構造１０５７に内設し、しかも固定構造１０５７の上固定蓋１０５８に固定し、電源スイッチ１８には少なくとも一本の電線１８１を結合し、前記電線１８１はフレキシブル回路基板１４に結合することで、電源スイッチ１８とフレキシブル回路基板１４を電気的に接続させてフレキシブル回路基板１４の発光ダイオード１７を導電状態または遮断状態にし、使用者が本考案の発光鏡を使用する場合は電源スイッチ１８を使って発光ダイオード１７をオンまたはオフにする。光線が暗いか空が暗い等、使用者が鏡を使用するのに影響を及ぼすような環境で使用する場合、使用者は電源スイッチ１８を押して発光ダイオード１７を導電させ、使用上の便利性を向上させる。
【００１７】
また、前述した本考案の電源スイッチ１８の位置は一実施例に過ぎず、必ずしも固定構造１０５７に設ける必要はなく、何れの適当箇所への配置が可能である。例えば電源スイッチ１８を本体１０の上外殻１０１や上外殻１０１と下外殻１０３の蓋を合わせる箇所に配置することも可能である。ユーザーが本考案の発光鏡を使用する場合、本体１０の上外殻１０１と下外殻１０３を開くと電源スイッチ１８を圧することになるため、フレキシブル回路基板１４の発光ダイオード１７には光線が生じ、ユーザーに使用を提供する。本体１０の上外殻１０１が下外殻１０３に閉じ合わされる時、発光ダイオード１７はオフ状態になる。同様の理論により、電源スイッチ１８を本体１０の下外殻１０３に配置することも可能であり、その方法は前記と同様である故ここでは説明を省く。また、本考案の他の実施例として、電源スイッチ１８を本体１０のエッジに配置することも可能であり、本体１０の上外殻１０１と下外殻１０３を開いた後、光線が不足する場合は、すぐに電源スイッチ１８を押して光線を増加できる。
【００１８】
また、本考案の一実施例として電源スイッチ１８を多段階式スイッチとすることも可能である。これにより、ユーザーは使用する環境の明るさに基づき多段階式スイッチを使って発光ダイオード１７の明るさを調整できるため、ユーザーは使用上の便利性を高められる。前記に続き、本考案の発光ダイオード１７の光源の色は白色と黄色の間の色彩を使った照明とすると発光ダイオード１７の生じる光線を柔和にでき、ライトの色を更に柔和にすることによりお化粧をするユーザーのために良好な化粧ライトを提供する。
【００１９】
図４及び図５に本考案の発光鏡の下外殻に関する実施例の分解図と構造図を示す。図に示す通り、下外殻１０３には粘着層１０７を設けて鏡１２を下外殻１０３に配置する。本考案の発光鏡の回転軸構造１０５の第一円形柱１０５１は下外殻１０３の底部の一方側に配置し、第二円形柱１０５３は下外殻１０３の底部の他の一方側に配置し、第一円形柱１０５１の間には一定間隔をあけて、図６に示した固定構造１０５７の上固定蓋１０５８と下固定蓋１０５９を第一円形柱１０５１と第二円形柱１０５３に組み合わせ、第一円形柱１０５１と第二円形柱１０５３間に位置させる。また、本考案の発光鏡の下外殻１０３の回転軸構造１０５には更に複数のゴムリング１０８を備え、それを第一円形柱１０５１と第二円形柱１０５３の突出柱１０５２と突出柱１０５４に配置して上外殻１０１と下外殻１０３を相互に回転させる。
【００２０】
図６に本考案の発光鏡に関する実施例の組立図を示す。図に示す通り、本考案の上外殻１０１には上固定蓋１０５８と下固定蓋１０５９を結合し、第一円形柱１０５１と第二円形柱１０５３間に配置し、上外殻１０１を下外殻１０３に配置する。上固定蓋１０５８は第一円形柱１０５１と第二円形柱１０５３の上半分に組み合わされ、下固定蓋１０５９は上固定蓋１０５８の下半分に組み合わせる。
【００２１】
また、本考案の発光鏡の第一円形柱１０５１は更に電池ホルダーとすることも可能であり、それに設ける導電部２０は電池２２を固定するもので、フレキシブル回路基板１４（図２参照）と電気的に接続し、電気を発光ダイオード１７に供給して照明とする光線をユーザーに提供する。この他、第一円形柱１０５１の外側には電池蓋２４を設ける。本考案の発光鏡には更にプッシュ部材２６を備え、それを第二円形柱１０５３の外側に設けて嵌合部２６１で第二円形柱１０５３に固定し、上固定蓋１０５８と下固定蓋１０５９に設けた電源スイッチ１８に接触させる（図２参照）。ユーザーが照明を必要とした場合、プッシュ部材２６を押すと嵌合部２６１によって電源スイッチ１８が押され、発光ダイオード１７に電気が提供されて光線が生じる。
【００２２】
前記は第一円形柱１０５１を電池ホルダーとした本考案の一実施例であるが、本考案の電池ホルダーは第一円形柱１０５１に設けるだけではなくそれに制限されないものとし、電池ホルダーは本考案の本体１０（図１参照）の何れの適当位置に配置することも可能で、導電部２０と電池２２を設けフレキシブル回路基板１４と電気的に接続して電気を発光ダイオード１７に供給し、ユーザーに光線による照明を提供する。また、前記電池ホルダーは本考案の一実施例に過ぎず、これに制限されないものとし、本体１０中に電源孔を配置し（未図示）、電源孔に電源を外付けすることにより電気をフレキシブル回路基板１４に供給し更に発光ダイオード１７に供給する。
【００２３】
図７及び図８に本考案の発光鏡に関する実施例の使用状態立体図を示す。図に示す通り、本考案の発光鏡を使用する場合は上外殻１０１を開き、下外殻１０３を後ろに回転させた後、発光鏡を立たせることができるため、ユーザーは手を使って平面に置く必要なく便利に使用でき、ユーザーの要望に基づいて発光鏡の角度を調整できる。使用しない場合は、上外殻１０１と下外殻１０３を回転させて上外殻１０１を下外殻１０３に重ねて平面にするとバッグに入れての携帯に便利である。
【００２４】
図９に本考案の発光鏡に関する別の実施例の構造図を示す。図に示す通り、本考案と前実施例の異なる箇所は本実施例の本体１０が単一の外殻を有り、上外殻と下外殻を持たず、電源スイッチ１８は本体１０上に設置している点にある。ユーザーは光線が不足する環境において本考案の発光鏡を使用する場合は、電源スイッチ１８を押すだけで電気を発光ダイオード１７に供給して発光ダイオード１７を通電し、発光ダイオード１７に光線を生じさせ、透過部１６を通して鏡１２前の物体を照らす。前述から分かる通り、本考案は何れの形態の本体１０に応用可能であり、前実施例や本実施例の形態に制限されるものではない。
【００２５】
前述した通り、本考案の発光鏡には本体と少なくとも一つの鏡と少なくとも一つのフレキシブル回路基板とを備える。本考案はフレキシブル回路基板に少なくとも一つの発光ダイオードを設けて鏡前の物体を照らす光線を提供し、並びに、体積縮小と重量軽減という目的を達成する。この他、フレキシブル回路基板中の発光ダイオードが柔和な色彩の光線を与えるため、ユーザーが化粧をする時に良好な色を持つ化粧ライトを提供することができる。
【００２６】
但し、前述したものは本考案の一実施例に過ぎず、本考案の実施範囲を制限するものではない故、本考案の実用新案登録請求の範囲に述べる形状、構造、特徴、及び精神に基づいて為される同等価値の変化や修飾は何れも登録請求の範囲内に含まれるものとする。
【符号の説明】
【００２７】
１０    本体
１０１    上外殻
１０３         下外殻
１０１３       凹溝
１０１５       突出平台
１０５    回転軸構造
１０５１    第一円形柱
１０５２    突出柱
１０５３    第二円形柱
１０５４    突出柱
１０５７    固定構造
１０５８    上固定蓋
１０５９    下固定蓋
１０７    粘着層
１０８    ゴムリング
１２    鏡
１４    フレキシブル回路基板
１６    透過部
１７    発光ダイオード
１８    電源スイッチ
１８１    電線
２０    導電部
２２    電池
２４    電池蓋
２６    プッシュ部材
２６１    嵌合部
【図１】
0003163732.tif 000003
【図２】
0003163732.tif 000004
【図３】
0003163732.tif 000005
【図４】
0003163732.tif 000006
【図５】
0003163732.tif 000007
【図６】
0003163732.tif 000008
【図７】
0003163732.tif 000009
【図８】
0003163732.tif 000010
【図９】
0003163732.tif 000011